(57)【特許請求の範囲】
【請求項１】
発電装置の各部位に設けられた複数の検出手段それぞれからの検出信号を取得し、前記検出手段ごとの検出信号履歴として取得可能に構成された発電装置制御手段を備える発電システムの故障診断を行う故障診断システムであって、
前記発電システムにおいて過去に発生した故障時における前記発電システムの動作状態を示す故障状態識別情報及び前記検出手段ごとの前記検出信号履歴を含む過去故障時データと、当該故障時における故障診断結果及び故障対応記録と、を対応付けて記録したデータベースを備え、
前記発電システムが故障した時に、前記故障状態識別情報及び前記検出手段ごとの前記検出信号履歴を含む故障時データを生成するデータ生成部と、
前記故障時データに含まれる前記故障状態識別情報と一致する前記故障状態識別情報を含む前記過去故障時データを前記データベースから抽出するデータ抽出部と、
前記データ抽出部により抽出された前記過去故障時データと前記故障時データとの相関関係を求める相関算出部と、
前記相関算出部により相関関係が求められた前記過去故障時データのうち、相関関係が強い前記過去故障時データを相関故障時データとして選択する相関データ選択部と、
前記相関故障時データに対応付けて記録されている前記故障診断結果及び前記故障対応記録を出力する診断結果出力部と、を備え、
前記相関算出部が、前記検出手段ごとの前記検出信号履歴の相関係数を前記相関関係として求め、
前記相関データ選択部が、前記相関算出部が求めた前記相関係数に基づいて、所定の相関閾値以上となる前記相関係数が規定数以上含まれる前記過去故障時データを前記相関故障時データとして選択する故障診断システム。
【請求項２】
前記相関算出部が、前記故障時データに含まれる前記故障状態識別情報と、前記故障状態識別情報ごとに前記相関算出部により前記相関係数を求める前記検出手段の種別を定めた対応表と、を参照して前記相関係数を求める請求項１に記載の故障診断システム。
【請求項３】
前記相関閾値以上となる前記相関係数が前記規定数以上含まれる前記過去故障時データが存在しなかった場合には、前記診断結果出力部があらかじめ設定された前記故障診断結果及び前記故障対応記録である規定故障診断結果及び規定故障対応記録を出力する請求項１又は２に記載の故障診断システム。
【請求項４】
前記データベース、前記データ抽出部、前記相関算出部、及び前記相関データ選択部を備えた故障時診断サーバを備え、
前記発電システムの前記発電装置制御手段が、
前記データ生成部及び前記診断結果出力部を備え、
前記発電システムが
前記データ生成部によって生成した前記故障時データを、前記故障時診断サーバに送信し、
前記故障時診断サーバが、
前記発電システムから受信した前記故障時データを、前記データ抽出部、前記相関算出部、及び前記相関データ選択部によって処理し、前記相関故障時データに対応付けて記録されている前記故障診断結果及び前記故障対応記録を前記発電システムに送信し、
前記発電システムが、
前記診断結果出力部によって、前記故障時診断サーバから受信した前記故障診断結果及び前記故障対応記録を出力する請求項１〜３のいずれか一項に記載の故障診断システム。
【発明の詳細な説明】
【技術分野】
【０００１】
本発明は、発電装置の各部位に設けられた複数の検出手段それぞれからの検出信号を取得し、前記検出手段ごとの検出信号履歴として取得可能に構成された発電装置制御手段を備える発電システムの故障診断を行う故障診断システムに関する。
【背景技術】
【０００２】
特許文献１に示すように、一般的に燃料電池システムは、各部位に設けられたセンサによって計測された流量、圧力、温度、及び電圧等の機器状態値と、実行中の制御工程、制御設定値、及び制御出力値等の制御状態値とを常時計測している。システムに何らかの異常が発生し、機器状態値及び制御状態値があらかじめ定められた閾値を超えた場合には、制御部が故障と判断する。制御部が故障と判断した際には、機器状態値や制御状態値などを一定周期で記録するように構成される。従来は、記録された値を確認することで、専門家が事後的にシステムの故障の原因を診断及び特定していた。
【０００３】
この他、システムの故障診断方法については、燃料電池システムに限らず、内燃機関や各種発電装置、センサに関する故障診断方法などが多数知られている。例えば、特許文献２には、太陽電池の故障診断装置が開示されている。この故障診断装置では、太陽電池モジュールの設置場所や設置条件などの情報を事前に必要とせずに、自動的に太陽電池モジュールの異常を検出することができる。
【先行技術文献】
【特許文献】
【０００４】
【特許文献１】特開２００６−０３２０９８号公報
【特許文献２】特開２０１４−５６８５９号公報
【発明の概要】
【発明が解決しようとする課題】
【０００５】
しかしながら、特許文献２などに開示の公知の故障診断方法は、システム全体の故障状態を良否判定するものや、ある特定の部品単体での健全性を診断（判定）するものであり、システムの故障の原因を診断及び特定するものではないため、システムに故障が起きた原因については分からない。このため、システムの故障の原因を診断するためには、改めて専門家が必要となる。
【０００６】
また、一般に、発電システムは多数の部品から構成される。例えば、特許文献１に示す燃料電池システムでは、燃料電池本体の他に、ポンプ、ブロア、及び電磁弁等の補器系、流量、圧力、温度、及び電圧等を測定するセンサ系、ならびにインバータ及び制御基板等の制御系といった部品で構成される。このためシステムが故障した場合は、膨大な計測データの中から故障部位を特定しなければならない。そのため、故障の原因を診断するには高い専門性が求められる。
【０００７】
加えて、構成部品が複雑に絡み合っているため、１つの故障に対して関連する部品が多く、誤診断が起こり得、不必要な部品交換がなされる可能性がある。具体的には、閾値を超えた状態値に対応する部位が実際には物理的に損傷しておらず、他の部位の損傷の影響で、制御部によって故障と判断されている場合がある。このため、故障に関連する部位の状態を可能な限り多く調査する必要があり、また、記録された値から故障診断するには専門的な知識も必要になり、故障の原因となった部位を正しく特定するのは困難なものであるという問題がある。
【０００８】
そこで、本発明の目的は、構成部品が複雑に絡み合った発電システムにおいて、簡便に、専門的な知識を必要とせずに、発電システムの故障部位を診断及び特定でき、故障時の誤診断を抑えられる故障診断システムを提供することにある。
【課題を解決するための手段】
【０００９】
上記目的を達成するため、本発明に係る故障診断システムの特徴構成は、発電装置の各部位に設けられた複数の検出手段それぞれからの検出信号を取得し、前記検出手段ごとの検出信号履歴として取得可能に構成された発電装置制御手段を備える発電システムの故障診断を行う故障診断システムであって、
前記発電システムにおいて過去に発生した故障時における前記発電システムの動作状態を示す故障状態識別情報及び前記検出手段ごとの前記検出信号履歴を含む過去故障時データと、当該故障時における故障診断結果及び故障対応記録と、を対応付けて記録したデータベースを備え、
前記発電システムが故障した時に、前記故障状態識別情報及び前記検出手段ごとの前記検出信号履歴を含む故障時データを生成するデータ生成部と、
前記故障時データに含まれる前記故障状態識別情報と一致する前記故障状態識別情報を含む前記過去故障時データを前記データベースから抽出するデータ抽出部と、
前記データ抽出部により抽出された前記過去故障時データと前記故障時データとの相関関係を求める相関算出部と、
前記相関算出部により相関関係が求められた前記過去故障時データのうち、相関関係が強い前記過去故障時データを相関故障時データとして選択する相関データ選択部と、
前記相関故障時データに対応付けて記録されている前記故障診断結果及び前記故障対応記録を出力する診断結果出力部と、を備え、
前記相関算出部が、前記検出手段ごとの前記検出信号履歴の相関係数を前記相関関係として求め、
前記相関データ選択部が、前記相関算出部が求めた前記相関係数に基づいて、所定の相関閾値以上となる前記相関係数が規定数以上含まれる前記過去故障時データを前記相関故障時データとして選択する点にある。 
【００１０】
上記特徴構成によれば、発電システムが故障した時に、データ生成部により、各検出手段の検出信号履歴を含む故障データが生成され、データ抽出部、相関算出部、及び相関データ選択部により、データベースに記録された過去故障時データの中から、相関関係が強い相関故障時データが選択される。さらに、診断結果出力部により、選択された関連故障時データに対応付けられた故障診断結果及び故障対応記録が出力される。
【００１１】
ここで、故障時データと相関関係が強い過去故障時データは、同様の故障原因によって発電システムが故障した際のものである可能性が高いと考えられる。このため、診断結果出力部により出力される、関連故障時データに対応付けられた故障診断結果及び故障対応記録は、実際の発電システムの故障に対応したものである可能性が高い。このため、本故障診断システムの利用者は、出力された故障診断結果及び故障対応記録に基づいて、発電システムの故障に対応することができる。
【００１２】
すなわち、構成部品が複雑に絡み合った発電システムにおいて、利用者に特段の操作を必要とせず簡便に、専門的な知識を必要とせずに、発電システムの故障部位を診断及び特定でき、故障時の誤診断を抑えられる故障診断システムを提供できる。
【００１４】
上記特徴構成によれば、相関算出部が、故障時データと過去故障時データとについて、検出手段ごとの検出信号履歴を比較して相関係数を上記相関関係として求め、相関データ選択部が、相関算出部が求めた上記相関係数に基づいて、所定の相関閾値以上となる相関係数が規定数以上含まれる過去故障時データを相関故障時データとして選択する。ここで、発電システムの故障時には、各検出手段からの出力の時系列変化に特徴が表れると考えられる。よって、検出手段ごとの検出信号履歴を比較し相関係数を求めることで、他の要素を用いて相関関係を求める場合に比べ、高精度に相関故障時データを選択することができる。すなわち、より高精度に発電システムの故障部位を診断及び特定でき、故障時の誤診断を抑えられる故障診断システムを提供できる。 
【００１５】
また、別の特徴構成は、  前記相関算出部が、前記故障時データに含まれる前記故障状態識別情報と、前記故障状態識別情報ごとに前記相関算出部により前記相関係数を求める前記検出手段の種別を定めた対応表と、を参照して前記相関係数を求める点にある。
【００１６】
上記特徴構成によれば、対応表により相関算出部により相関係数を求める検出手段の種別が定められる。よって、相関算出部が相関係数を求めるにあたり、必要となる演算量を、全検出手段に対して相関係数を求める場合に比べて抑えられる。すなわち、相関算出部に必要とされる演算能力を抑えることができる。よって、発電システムの故障部位を診断及び特定でき、故障時の誤診断を抑えられる故障診断システムをより安価に提供することが可能となる。
【００１７】
さらに、別の特徴構成は、前記相関閾値以上となる前記相関係数が前記規定数以上含まれる前記過去故障時データが存在しなかった場合には、前記診断結果出力部があらかじめ設定された前記故障診断結果及び前記故障対応記録である規定故障診断結果及び規定故障対応記録を出力する点にある。
【００１８】
上記特徴構成によれば、データベースに所定の相関閾値以上となる相関係数が規定数以上含まれる過去故障時データが存在しない場合には、診断結果出力部は規定故障診断結果及び規定故障対応記録を出力する。よって、規定故障診断結果及び規定故障対応記録に、例えば、発生する可能性の高い故障に対応した診断結果と対応記憶を設定することで、相関関係のある過去故障時データが存在しなかった場合であっても、作業者に故障診断結果及び故障対応記録を提示し、発電システムの故障への対応を促すことができる。すなわち、発電システムの故障部位を診断及び特定でき、故障時の誤診断を抑えられる故障診断システムの利便性を高めることができる。
【００１９】
また、別の特徴構成は、前記データベース、前記データ抽出部、前記相関算出部、及び前記相関データ選択部を備えた故障時診断サーバを備え、
前記発電システムの前記発電装置制御手段が、
前記データ生成部及び前記診断結果出力部を備え、
前記発電システムが
前記データ生成部によって生成した前記故障時データを、前記故障時診断サーバに送信し、
前記故障時診断サーバが、
前記発電システムから受信した前記故障時データを、前記データ抽出部、前記相関算出部、及び前記相関データ選択部によって処理し、前記相関故障時データに対応付けて記録されている前記故障診断結果及び前記故障対応記録を前記発電システムに送信し、
前記発電システムが、
前記診断結果出力部によって、前記故障時診断サーバから受信した前記故障診断結果及び前記故障対応記録を出力する点にある。
【００２０】
上記特徴構成によれば、発電システムには、データ生成部及び診断結果出力部を備えたものとし、故障時診断サーバに過去故障時データを蓄積し、過去故障時データの抽出、相関関係の算出、及び相関故障時データの選択といった処理を実行する。このように、演算負荷の大きな処理を故障時診断サーバにまとめることで、発電システム側には大きく手を加える必要がなくなる。また、いわゆるサーバ・クライアント構成となるため、故障時診断サーバを１つ用意すれば、複数の発電システムから利用できる。すなわち、故障診断システムの構築に係るコストを抑えることができる。
【００２１】
また、このような構成においては、故障時診断サーバには複数の発電システムから故障データを集め蓄積することが可能となる。よって、より大規模に故障時データを蓄積でき、発電システムが故障した際の特徴をよりよく示す故障時データをデータベースに記録することが可能となる。よって、データベースに記録された過去故障時データから高精度に故障の原因を診断することが可能となる。以上のように、発電システムの故障部位を診断及び特定でき、故障時の誤診断を抑えられる故障診断システムを、より安価で、より高精度な診断ができるように構築することが可能となる。
【図面の簡単な説明】
【００２２】
【図１】故障診断システムの概略構成図
【図２】故障時データを示す図
【図３】検出信号履歴を示す図
【図４】過去故障時データを示す図
【図５】故障診断システムの動作を示すフローチャート
【図６】実施例１における相関係数の算出例を示す図
【図７】実施例２における相関係数の算出例を示す図
【図８】実施例２における相関係数の算出例を示す図
【図９】実施例２における相関係数の算出例を示す図
【図１０】実施例３における相関係数の算出例を示す図
【発明を実施するための形態】
【００２３】
以下では本発明に係る故障診断システムＳを、図１を用いて説明する。故障診断システムＳは、一般家庭などの施設（不図示）内に電力を供給する発電システムＧＳと、発電システムＧＳの故障診断を行い、故障の原因を特定するための故障時診断サーバＤＳとを備える。
【００２４】
発電システムＧＳは、発電装置１を備え、発電装置１が発電する電力を家屋などの施設（不図示）内に供給するように構成される。発電装置１は、燃料電池やエンジンとそのエンジンによって駆動される発電機などの種々の装置である。本実施形態においては、発電装置１としての燃料電池を備える。すなわち、発電システムＧＳとして燃料電池システムを用いる。発電装置１は、発電装置制御手段２によりその動作が制御される。
【００２５】
また、発電システムＧＳは、発電装置１など発電システムＧＳ内の各部位に検出手段３が設けられ、検出手段３が検出した出力は発電装置制御手段２に入力される。検出手段３は、流量センサや圧力センサ、温度センサ、電圧センサなどであり、検出（計測）された流量、圧力、温度、及び電圧等の機器状態値を検出信号として出力する。検出信号としては、具体的には、発電装置１に燃料ガスを供給する際の原燃料供給計測値や原燃料ガスブロア出力値、各検出手段３からの出力に基づいて発電装置制御手段２が決定する燃料供給目標値などが相当する。
【００２６】
〔故障診断システムの構成〕
発電システムＧＳ
発電システムＧＳには、発電装置１及び発電装置制御手段２に加えて、発電装置側通信手段４及び表示手段５が備えられる。発電装置側通信手段４は、故障時診断サーバＤＳと通信を行うための手段であり、無線通信手段または有線通信手段が用いられる。表示手段５は、発電装置制御手段２からの出力を表示するための装置である。本実施形態においては、発電装置１の動作状態の表示、及び発電装置１への動作を指示するためのリモコンの表示部を用いる。
【００２７】
本実施形態において、発電装置制御手段２にはデータ生成部２１及び診断結果出力部２２が備えられる。
【００２８】
データ生成部
データ生成部２１は、発電装置１が故障したときに、故障状態識別情報ｈ及び検出手段３ごとの検出信号履歴Ｌを含む故障時データＤを生成する。より詳しくは、データ生成部２１は、発電システムＧＳに故障が発生したときに、発電システムＧＳの各部位に設けられた複数の検出手段３それぞれからの検出信号を取得し、検出手段３ごとの検出信号履歴Ｌとして取得可能に構成される。
【００２９】
ここで「発電システムＧＳに故障が発生したとき」とは、発電システムＧＳ内において機械的故障などの問題が発生し、検出手段３からの検出信号が、あらかじめ定められた故障判定閾値を越えたことにより、発電装置制御手段２が、発電システムＧＳに故障が発生したと判定したときを意味する。
【００３０】
より具体的には、データ生成部２１は、発電システムＧＳに故障が発生したときに、あらかじめ定められた所定期間の間、検出手段３からの検出信号を取得し、図３のグラフに占めすように、検出手段３（検出信号）ごとに、各時点における検出信号の値をひとまとめにした検出信号履歴Ｌを生成する。なお、図３においては、説明の都合上、検出信号履歴Ｌをグラフの形で可視化したが、本実施形態においては、検出信号履歴Ｌは各時刻における検出信号の値をまとめたデータである。
【００３１】
さらに、データ生成部２１は、発電システムＧＳに故障が発生したときに、図２に示すように、その時点における発電システムＧＳの動作状態を示す故障状態識別情報ｈなどの情報を生成する。具体的には、故障状態識別情報ｈとして、発電装置制御手段２がどの検出手段３からの検出信号に基づいて故障と判定したかを示す故障コードや、発電システムＧＳの制御行程（システム状態）を示す識別番号など、発電システムＧＳの動作状態を示すいわゆる制御状態値を生成する。
【００３２】
以上のように、データ生成部２１は、検出手段３ごとの検出信号履歴Ｌ及び故障状態識別情報ｈを生成し、さらに本実施形態においては、故障が発生したときの発電システムＧＳの制御行程を示す識別番号Ｉｄを加えて、故障時データＤとして生成する。データ生成部２１で生成された故障時データＤは、発電装置側通信手段４を介して故障時診断サーバＤＳに送信される。
【００３３】
診断結果出力部
診断結果出力部２２は、詳しくは後述するが、故障時診断サーバＤＳから受信した故障診断結果Ｏ及び故障対応記録Ｃを表示手段５に出力する。具体的には、例えば、故障診断結果Ｏとして「燃料ガス系統異常」、故障対応記録Ｃとして「燃料ガス系統配管交換」を故障時診断サーバＤＳから受信した場合には、診断結果出力部２２は表示手段５に
「故障診断結果：  燃料ガス系統異常
対処方法    ：  燃料ガス系統配管交換」
といったように、故障時診断サーバＤＳの利用者に対して発電システムＧＳの修復作業を促す形態で故障診断結果Ｏ及び故障対応記録Ｃを出力する。
【００３４】
故障時診断サーバＤＳ
故障時診断サーバＤＳには、過去の故障時データＤである過去故障時データＤｐを蓄積したデータベースＤＢ、データベースＤＢに過去故障時データＤｐを入力するための入力手段９、発電システムＧＳと通信を行うためのサーバ側通信手段７、各種の値を記憶するための記憶手段８、及びこれら各手段の動作を制御するためのサーバ制御手段６が備えられる。
【００３５】
データベース
データベースＤＢは、発電システムＧＳにおいて過去に発生した故障時における故障状態識別情報ｈ及び検出手段３ごとの検出信号履歴Ｌを含む過去故障時データＤｐと、当該故障時における故障診断結果Ｏ及び故障対応記録Ｃと、を対応付けたものが１つのレコードＲとして記録される。具体的には、過去故障時データＤｐ（レコードＲ）は、故障時データＤと同様に、図４に示すように、発電システムＧＳに故障が発生した時点における発電システムＧＳの動作状態を示す故障状態識別情報ｈなどの情報とともに、各検出手段３の検出信号履歴Ｌ、及び発電システムＧＳの識別番号Ｉｄが含まれる。
【００３６】
より具体的には、データベースＤＢには、入力手段９を介して、過去に起きた発電システムＧＳの故障時における過去故障時データＤｐと、当該故障時に専門家などにより発電システムＧＳの故障の原因が特定された際の故障診断結果Ｏ及び故障対応記録ＣとがレコードＲとして記録される。
【００３７】
サーバ制御手段
サーバ制御手段６には、データ抽出部６１、相関算出部６２、及び相関データ選択部６３が備えられる。さらに、本実施形態においては、代表データ作成部６４が備えられる。
【００３８】
代表データ作成部
本実施形態においては、データベースＤＢには、過去故障時データＤｐが「代表データ」の形態にされ記録される。代表データは、レコードＲとして記録される過去故障時データＤｐを、故障状態識別情報ｈごとにまとめられたものである。以下では、代表データ作成部６４による、代表データの作成方法を具体的に説明する。
【００３９】
代表データ作成部６４は、入力手段９を介して過去故障時データＤｐがデータベースＤＢに入力される際に、入力される過去故障時データＤｐの故障状態識別情報ｈ（ここではｈｘと呼ぶ）と一致するレコードＲがデータベースＤＢ内に既に存在しないかを判定する。
【００４０】
ここで、データベースＤＢ内に既に故障状態識別情報ｈ（ｈｘ）が一致するレコードＲが存在する場合には、入力される過去故障時データＤｐと、一致したレコードＲの過去故障時データＤｐとに含まれる各検出手段３の検出信号履歴Ｌの各時点における平均値を求め、当該平均値からなる検出信号履歴Ｌを、故障状態識別情報ｈと合わせて新たな過去故障時データＤｐとし、故障診断結果Ｏ及び故障対応記録Ｃとともに、当該故障状態識別情報ｈの代表データとして、既に存在するレコードＲに上書きする形態で記録する。
【００４１】
入力される過去故障時データＤｐの故障状態識別情報ｈ（ここではｈｘと呼ぶ）と一致するレコードＲがデータベースＤＢ内に存在しない場合には、入力される過去故障時データＤｐを含むレコードＲは、そのままデータベースＤＢ内に新規のレコードＲとして記録される。
【００４２】
すなわち、データベースＤＢには、故障状態識別情報ｈごとに１つの過去故障時データＤｐ（平均値からなる検出信号履歴Ｌを含む過去故障時データＤｐ）が記録される。
【００４３】
また、代表データ作成部６４は、故障時診断サーバＤＳが発電システムＧＳから故障時データＤを受信した際に、当該故障時データＤと相関関係にある過去故障時データＤｐがデータベースＤＢ内に存在した際にも、受信した故障時データＤと過去故障時データＤｐとの検出信号履歴Ｌの平均値を求め、当該平均値からなる検出信号履歴Ｌを、故障状態識別情報ｈと合わせて過去故障時データＤｐとし、故障診断結果Ｏ及び故障対応記録Ｃとともに、当該故障状態識別情報ｈの代表データとして、既に存在するレコードＲに上書きする形態で記録する。
【００４４】
なお、本実施形態においては、代表データ作成部６４は、故障状態識別情報ｈに加え、発電システムＧＳの識別番号Ｉｄが一致するかを判定し、故障状態識別情報ｈ及び発電システムＧＳの識別番号Ｉｄの組み合わせごとに、１つの過去故障時データＤｐ（平均値からなる検出信号履歴Ｌを含む過去故障時データＤｐ）が記録される。
【００４５】
データ抽出部
データ抽出部６１は、故障時診断サーバＤＳがサーバ側通信手段７を介して、発電システムＧＳから故障時データＤを受信したときに、当該故障時データＤに含まれる故障状態識別情報ｈと一致する故障状態識別情報ｈを含む過去故障時データＤｐをデータベースＤＢから抽出する。すなわち、受信した故障時データＤと故障状態識別情報ｈが一致する、代表データを抽出する。本実施形態においては、データ抽出部６１は、故障状態識別情報ｈが一致し、発電システムＧＳの識別番号Ｉｄが異なる過去故障時データＤｐが複数存在する場合、それら複数の過去故障時データＤｐを全て抽出する。
【００４６】
相関算出部
相関算出部６２は、データ抽出部６１により抽出された過去故障時データＤｐのそれぞれと故障時データＤとの相関関係を求める。具体的には、相関算出部６２は、故障時データＤと過去故障時データＤｐとについて、検出手段３ごとの検出信号履歴Ｌの相関係数を求める。ここで、相関係数が大きいことは、相関関係が高いことに対応する。具体的には、図６〜図１０に示すように、故障時データＤにおける一の検出手段３の検出信号履歴Ｌ（例えば図中Ｌ１）と、過去故障時データＤｐにおける同一の検出手段３の検出信号履歴Ｌ（例えば図中Ｌ１）と、を比較し相関係数を求める。
【００４７】
本実施形態においては相関係数として、例えば、以下の式により求まるピアソンの積率相関係数を用いる。
【数１】
0006509001.tif 000002
ここで、Xi、Yi…２つの変量（図６〜図１０における各列の各データ）
Ｘ（オーバーバー）、Ｙ（オーバーバー）…変量の平均値（図６〜図１０における各列におけるデータの平均値）
ｎ…それぞれの変量の個数（図６〜図１０の各列におけるデータ数）
【００４８】
このように同一の検出手段３の検出信号履歴Ｌの比較を、故障時データＤに含まれる検出手段３ごとに行う。
【００４９】
本実施形態においては、故障状態識別情報ｈごとに相関算出部６２により相関係数を求める検出手段３の種別を定めた対応表ｔｂｌを記憶手段８に備える。ここで、対応表ｔｂｌに定められる「相関係数を求める検出手段３の種別」として、故障状態識別情報ｈにより推定される故障の内容を診断するにあたり、相関関係を有する可能性が高い検出信号履歴Ｌに対応した検出手段３が設定される。また、各故障状態識別情報ｈについて相関係数を求める検出手段３の数は、発電システムＧＳに備えられた検出手段３の総数よりも小さくなるように設定される。
【００５０】
具体的には、対応表ｔｂｌには、『故障状態識別情報ｈが６０００１２のとき、相関係数を求める項目は「原燃料供給目標値」、「原燃料供給計測値」、「原燃料ガスブロア出力値」の３項目』といった情報が記憶される。
【００５１】
相関算出部６２は、故障時データＤに含まれる故障状態識別情報ｈと対応表ｔｂｌとを参照して相関係数を求める。このような構成とすることで、少ない演算量で高精度に、故障時データＤと過去故障時データＤｐとの相関関係を調べることができる。
【００５２】
相関データ選択部
相関データ選択部６３は、相関算出部６２により相関関係が求められた過去故障時データＤｐのうち、相関関係が強い過去故障時データＤｐを相関故障時データＤｒとして選択する。より詳しくは、相関データ選択部６３は、過去故障時データＤｐに含まれる相関係数に基づいて、相関故障時データＤｒを選択する。
【００５３】
具体的には、相関データ選択部６３は、所定の相関閾値ｔｈ以上となる相関係数が規定数ｘ以上含まれる過去故障時データＤｐを相関故障時データＤｒとして選択する。ここで、相関閾値ｔｈ及び規定数ｘの値は記憶手段８に記憶され、適宜調整可能である。
【００５４】
より具体的には、例えば「所定の相関閾値」を０．７とし、所定の閾値以上であれば、その検出信号履歴Ｌについては「相関関係がある」とみなしている。相関データ選択部６３は、故障時データＤと過去故障時データＤｐとを比較して、規定数ｘ以上の検出信号履歴Ｌおいて「相関関係がある」とみなされた場合に、当該故障時データＤと過去故障時データＤｐとは相関関係が強いと判断し、当該過去故障時データＤｐを相関故障時データＤｒとして選択する。
【００５５】
なお、相関データ選択部６３による相関故障時データＤｒの選択方法としては、このような方法に限定されない。具体的には、例えば、１の過去故障時データＤｐについて算出した複数の相関係数のうち最も値が小さいものを比較指標値とし、複数の過去故障時データＤｐの中で比較指標値が最も大きなものを相関故障時データＤｒとしても構わない。
【００５６】
以上のようにして、相関データ選択部６３は相関故障時データＤｒを選択し、サーバ制御手段６は、サーバ側通信手段７を介して相関故障時データＤｒに対応付けてデータベースＤＢに記録されている故障診断結果Ｏ及び故障対応記録Ｃを発電システムＧＳに送信する。
【００５７】
なお、本実施形態においては、記憶手段８に、あらかじめ規定故障診断結果Ｏｄ及び規定故障対応記録Ｃｄが記憶される。規定故障診断結果Ｏｄ及び規定故障対応記録Ｃｄには、発電システムＧＳにおいて一般に発生する可能性の高い故障に対応した故障診断結果Ｏと故障対応記録Ｃが設定される。
【００５８】
相関データ選択部６３は、相関閾値ｔｈ以上となる相関係数が規定数ｘ以上含まれる過去故障時データＤｐが存在しなかった場合には、データベースＤＢの中から過去故障時データＤｐを相関故障時データＤｒとして選択しない。この場合、サーバ制御手段６は、記憶手段８に記憶された規定故障診断結果Ｏｄ及び規定故障対応記録Ｃｄを、サーバ側通信手段７を介して発電システムＧＳに送信する。このような構成により、発電システムＧＳの診断結果出力部２２は、受信した規定故障対応記録Ｃｄ及び規定故障診断結果Ｏｄを出力する。
【００５９】
〔故障診断システムの動作〕
故障時診断サーバＤＳの動作を、図１及び図５を用いて説明する。発電システムＧＳに故障が発生したとき、発電システムＧＳの発電装置制御手段２のデータ生成部２１が、故障時データＤを生成し（図５の＃１。以下同じ）、故障時診断サーバＤＳに送信する。
【００６０】
故障時診断サーバＤＳは、受信した故障時データＤのサーバ制御手段６のデータ抽出部６１が、故障状態識別情報ｈを確認する（＃２）。続いて、確認した故障状態識別情報ｈと一致する過去故障時データＤｐをデータベースＤＢから抽出する（＃３）。
【００６１】
サーバ制御手段６は、故障状態識別情報ｈが一致する過去故障時データＤｐが存在するかを調べ、存在する場合（＃４：Ｙｅｓ）には、相関算出部６２が抽出した過去故障時データＤｐそれぞれについて、受信した故障時データＤとの相関関係を算出する（＃５）。
【００６２】
さらに、相関データ選択部６３が、相関関係を算出した過去故障時データＤｐの中でも相関関係が強いものがあるかを調べ、相関関係が強い過去故障時データＤｐが存在する場合（＃６：Ｙｅｓ）には、当該過去故障時データＤｐを相関故障時データＤｒとして選択する。
【００６３】
サーバ制御手段６は、選択された相関故障時データＤｒに対応する故障診断結果Ｏ及び故障対応記録Ｃをサーバ側通信手段７を介して、発電システムＧＳに送信し、発電システムＧＳの診断結果出力部２２は、受信した故障診断結果Ｏ及び故障対応記録Ｃを表示手段５に出力する（＃７）。本実施形態においては、代表データ作成部６４により、故障時診断サーバＤＳにおいて、受信した故障時データＤと相関故障時データＤｒとの各検出信号履歴Ｌの平均値を求め、当該平均値を用いてデータベースＤＢの相関故障時データＤｒのレコードＲを更新する。
【００６４】
なお、上記＃４及び＃６の条件でＮｏと判定された場合には、サーバ制御手段６が記憶手段８に記憶された規定故障診断結果Ｏｄ及び規定故障対応記録Ｃｄを発電システムＧＳに送信し、発電システムＧＳの診断結果出力部２２は、受信した規定故障診断結果Ｏｄ及び規定故障対応記録Ｃｄを表示手段５に出力する（＃８）。
【００６５】
また、受信した故障時データＤは、サーバ制御手段６によって、データベースＤＢに新規のレコードＲとして追加される。当該レコードＲについては、後日、発電システムＧＳの故障の原因が特定された後に、入力手段９を介して故障診断結果Ｏと故障対応記録Ｃを入力すると良い。
【００６６】
以上のようにして、故障時診断サーバＤＳは、発電システムＧＳに故障が発生したとき、利用者に特段の操作を必要とせず簡便に、専門的な知識を必要とせずに、発電システムＧＳの故障部位を診断及び特定することが可能となる。
【００６７】
〔実施例１〕
図６を用いて、故障時診断サーバＤＳを用いた発電システムＧＳの故障部位の診断例を示す。図６に示す各表の左列には発電システムＧＳのデータ生成部２１により生成された故障時データＤに含まれる検出信号履歴Ｌ（図中、検出手段３ごとにＬ１、Ｌ２、Ｌ３と記載）を、右列に、データ抽出部６１によって抽出された過去故障時データＤｐ（故障時データＤの故障状態識別情報ｈと一致する故障状態識別情報ｈを含む過去故障時データＤｐ）を示す。
【００６８】
本例では、図中３つの検出信号履歴Ｌ（Ｌ１、Ｌ２、Ｌ３）が、対応表ｔｂｌにおいて故障時データＤの故障状態識別情報ｈについて定められた検出信号履歴Ｌの種別となる。具体的には、左から順に「原燃料供給目標値」、「原燃料供給計測値」、「原燃料ガスブロア出力値」の３項目となる。相関閾値ｔｈは０．７で、規定数ｘは３に設定される。相関算出部６２により各検出信号履歴Ｌ（Ｌ１、Ｌ２、Ｌ３）についてピアソンの積率相関係数を算出した結果を、各表の下部に示す。
【００６９】
本例では、上記３項目ともに相関係数が相関閾値ｔｈ以上となり、高い相関が認められる。よって、故障時データＤと過去故障時データＤｐとの相関関係は強いと判定され、過去故障時データＤｐ（相関故障時データＤｒ）に対応する故障診断結果Ｏ及び故障対応記録Ｃが発電システムＧＳに送信される。
【００７０】
本例では、例えば以下のように、発電システムＧＳでは受信した故障診断結果Ｏ及び故障対応記録Ｃが出力される。
「故障診断結果：燃料ガス系統異常
対処方法    ：燃料ガス系統配管交換」
【００７１】
〔実施例２〕
図７及び図８を用いて、故障時診断サーバＤＳを用いた発電システムＧＳの故障部位の別の診断例を示す。上記実施例と同様に、図７及び図８に示す各表の左列には故障時データＤに含まれる検出信号履歴Ｌを、右列に、データ抽出部６１によって抽出された過去故障時データＤｐを示す。
【００７２】
本例では、故障状態識別情報ｈが一致する過去故障時データＤｐが２つ存在する場合を説明する。具体的には、故障時データＤと比較し相関関係を算出する過去故障時データＤｐが、図７に示すように発電システムＧＳの識別番号ＩｄがＢのものと、図８に示すように識別番号ＩｄがＤのものとの２つが存在する。
【００７３】
上記実施例と同様に、故障時データＤの各検出信号履歴Ｌと、図７の過去故障時データＤｐの各検出信号履歴Ｌとの相関係数を算出する。図７の例では、上記３項目ともに相関係数が相関閾値ｔｈ未満となり、故障時データＤと過去故障時データＤｐとの間に相関が認められない。
【００７４】
このため、続いて図８の過去故障時データＤｐの各検出信号履歴Ｌとの相関係数を算出する。図８の例では、上記３項目ともに相関係数が相関閾値ｔｈ以上となり、高い相関が認められる。よって、故障時データＤと過去故障時データＤｐとの相関関係は強いと判定され、過去故障時データＤｐ（相関故障時データＤｒ）に対応する故障診断結果Ｏ及び故障対応記録Ｃが発電システムＧＳに送信される。
【００７５】
本例では、例えば以下のように、発電システムＧＳでは受信した故障診断結果Ｏ及び故障対応記録Ｃが出力される。
「故障診断結果：  逆止弁作動不良
対処方法    ：  逆止弁交換」
【００７６】
〔実施例３〕
図９及び図１０を用いて、故障時診断サーバＤＳを用いた発電システムＧＳの故障部位の別の診断例を示す。上記実施例と同様に、図９及び図１０に示す各表の左列には故障時データＤに含まれる検出信号履歴Ｌを、右列に、データ抽出部６１によって抽出された過去故障時データＤｐを示す。
【００７７】
本例では、実施例２と同様に、故障状態識別情報ｈが一致する過去故障時データＤｐが２つ存在する場合を説明する。ただし、上記実施例と同様に、故障時データＤの各検出信号履歴Ｌと、図９及び図１０の過去故障時データＤｐの各検出信号履歴Ｌとの相関係数を算出したときに、いずれの過去故障時データＤｐも、各相関係数が相関閾値ｔｈ未満となり、故障時データＤと過去故障時データＤｐとの間に相関が認められない。
【００７８】
本例では、これ以上データベースＤＢ内に故障状態識別情報ｈが一致する過去故障時データＤｐが無いため、記憶手段８に記憶された規定故障診断結果Ｏｄ及び規定故障対応記録Ｃｄが発電システムＧＳに送信される。
【００７９】
本例では、例えば以下のように、発電システムＧＳでは受信した規定故障診断結果Ｏｄ及び規定故障対応記録Ｃｄが出力される。この例では、規定故障診断結果Ｏｄ及び規定故障対応記録Ｃｄの組み合わせが２つ設定されている場合を示す。
「１．想定される故障部位：原燃料流量計
対処方法          ：電圧・抵抗値測定、配線確認・・・異常があれば交換
２．想定される故障部位：原燃料ガスブロア
対処方法          ：電圧・抵抗値測定、単体動作確認・・・異常があれば交換」
【００８０】
〔別実施形態〕
（１）上記実施形態においては、相関関係を求めるに当たり、故障時データＤ及び過去故障時データＤｐの各検出信号履歴Ｌについて求めたピアソンの積率相関係数を用いる場合の一例を示したが、他の方法も用いても構わない。例えば、相関関係を求めるにあたり、他の情報を相関係数を求める際の変数として用いても構わないし、他の相関係数を用いても構わない。
【００８１】
（２）上記実施形態においては、対応表ｔｂｌを用いて、相関係数を求める検出信号履歴Ｌの種別を限定する場合の一例を示したが、対応表ｔｂｌを備えない構成としても構わない。この場合、相関算出部６２は、全ての検出信号履歴Ｌを比較し、相関係数を求めると良い。
【００８２】
（３）上記実施形態においては、記憶手段８が規定故障診断結果Ｏｄ及び規定故障対応記録Ｃｄを備える場合の一例を示したが、規定故障診断結果Ｏｄ及び規定故障対応記録Ｃｄを備えない構成としても構わない。この場合、診断結果出力部２２は、例えば、専門家による診断が必要な旨を出力すると良い。
【００８３】
（４）上記実施形態においては、故障診断システムＳを、発電システムＧＳと故障時診断サーバＤＳとからなるサーバ・クライアント構成とする場合の一例を示したが、故障診断システムＳとして、発電システムＧＳ内に故障時診断サーバＤＳの各部６１〜６３、データベースＤＢ及び記憶手段８を有する構成としても構わない。
【符号の説明】
【００８４】
１        ：発電装置
２        ：発電装置制御手段
３        ：検出手段
２１      ：データ生成部
２２      ：診断結果出力部
６１      ：データ抽出部
６２      ：相関算出部
６３      ：相関データ選択部
Ｃ        ：故障対応記録
Ｃｄ      ：規定故障対応記録
Ｄ        ：故障時データ
ＤＳ      ：故障時診断サーバ
Ｄｐ      ：過去故障時データ
Ｄｒ      ：相関故障時データ
ＧＳ      ：発電システム
Ｌ        ：検出信号履歴
Ｏ        ：故障診断結果
Ｏｄ      ：規定故障診断結果
Ｓ        ：故障診断システム
ｈ        ：故障状態識別情報
ｔｂｌ    ：対応表
ｔｈ      ：相関閾値
ｘ        ：規定数
【図１】
0006509001.tif 000003
【図２】
0006509001.tif 000004
【図３】
0006509001.tif 000005
【図４】
0006509001.tif 000006
【図５】
0006509001.tif 000007
【図６】
0006509001.tif 000008
【図７】
0006509001.tif 000009
【図８】
0006509001.tif 000010
【図９】
0006509001.tif 000011
【図１０】
0006509001.tif 000012